Podtech/llm-jp-corpus-v4-ja_patent huggingface dataset:
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
フィブリルを有するパラ系アラミド糸セグメントを有する着色または染色された糸から製造された織物を含んでなる衣料物品の外観を復元する方法であって、
（ａ）前記衣料物品を、水性染料溶液または染料分散液と接触させて、前記パラ系アラミドフィブリルを、前記染色または着色された糸の色と同等の色に染色するステップと、
（ｂ）ステップ（ａ）の前記物品を乾燥させるステップとを含んでなる方法。
【請求項２】
フィブリルを有するパラ系アラミド糸セグメントを有する着色または染色されたアラミド糸から製造された織物を含んでなる物品の外観を改善する方法であって、
（ａ）前記物品を、水性染料溶液または染料分散液と接触させて、前記パラ系アラミドフィブリルを染色するステップと、
（ｂ）ステップ（ａ）の前記物品を乾燥させるステップとを含んでなる方法。
【手続補正２】
【補正対象書類名】明細書
【補正対象項目名】００５８
【補正方法】変更
【補正の内容】
【００５８】
【表５】
2005504187.tif 000001
本発明の好適な実施の態様は次のとおりである。
１．フィブリルを有するパラ系アラミド糸セグメントを有する着色または染色された糸から製造された織物を含んでなる衣料物品の外観を復元する方法であって、
（ａ）前記衣料物品を、水性染料溶液または染料分散液と接触させて、前記パラ系アラミドフィブリルを、前記染色または着色された糸の色と同等の色に染色するステップと、
（ｂ）ステップ（ａ）の前記物品を乾燥させるステップとを含んでなる方法。
２．前記衣料が少なくとも５重量％の含有率のパラ系アラミドを含んでなる上記１に記載の方法。
３．前記パラ系アラミドがポリ（パラフェニレンテレフタルアミド）である上記２に記載の方法。
４．前記織物がポリ（ｍ−フェニレンイソフタルアミド）を含む上記３に記載の方法。
５．前記水性染料溶液または分散液が染色助剤を使用しない上記１に記載の方法。
６．水性染料溶液が使用される上記１に記載の方法。
７．初期染料濃度が、前記衣料物品の重量を基準にして少なくとも０．０１重量％である上記１に記載の方法。
８．前記染料がカチオン染料である上記１に記載の方法。
９．前記衣料物品が消防用衣料の外衣である上記１に記載の方法。
１０．フィブリルを有するパラ系アラミド糸セグメントを有する着色または染色されたアラミド糸から製造された織物を含んでなる物品の外観を改善する方法であって、
（ａ）前記物品を、水性染料溶液または染料分散液と接触させて、前記パラ系アラミドフィブリルを染色するステップと、
（ｂ）ステップ（ａ）の前記物品を乾燥させるステップとを含んでなる方法。
１１．前記フィブリルが、前記着色または染色されたアラミド糸フィラメントと同等の色まで染色される上記１０に記載の方法。
【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
（i）有効量の、少なくとも１つのエッセンシャルオイル成分、または光照射もしくは酸化によって得られるその誘導体、またはその混合物、および
（ii）乳化剤、酸化防止剤、またはカプセル化剤から成る群から選択された少なくとも１つの追加の安定剤、
を含む殺菌水溶配合剤。
【請求項２】
前記乳化剤は、アルキルアリルポリエーテルアルコール、ポリオキシエチレンソルビタンモノラウレート、ポリオキシエチレンソルビタンモノオレエレート、オクチル−フェニルポリエーテルアルコール、またはその混合物を含む群から選択される、請求項１記載の殺菌水溶配合剤。
【請求項３】
前記酸化防止剤は、ブチル化ヒドロキシアニソール（ＢＨＡ）、アスコルビン酸、ブチル化ヒドロキシトルエン（ＢＨＴ）、イソアスコルビン酸、α―トコフェロール、β−カロチン、またはその混合物を含む群から選択される、請求項１記載の殺菌水溶配合剤。
【請求項４】
前記カプセル化剤は、コーンスターチ、マルトデキストリン、シリカゲル、β―シクロデキストリン、カゼイン、キトサン、およびその混合物を含む群から選択される、請求項１記載の殺菌水溶配合剤。
【請求項５】
前記エッセンシャルオイル成分、またはその誘導体は、モノテルペンまたはセスキテルペン炭化水素、酸化テルペン誘導体、ならびにアルデヒドやアルコール、酸、エステル、フェノール類などの非テルペン誘導体を含む群から選択される、請求項１記載の殺菌水溶配合剤。
【請求項６】
前記エッセンシャルオイル成分、またはその誘導体は、シトラール、１−オクタノール、ヘプタノール、ノナノール、ゲラニオール、オクタナール、ノナナール、デカナール、ペリルアルデヒド、ペリラアルコール、シトロネロール、シトロネラール、カルボン、カルベオール、リナロール、バニリン、桂皮アルデヒド、桂皮酸、ユージノール、メントール、リモネン、リモネンヒドロペルオキシド、カルバクロール、テルピネオール、チモール、バニリンおよびショウノウ、またはその混合物を含む群から選択される、請求項５記載の殺菌水溶配合剤。
【請求項７】
前記エッセンシャルオイル成分、またはその誘導体は、シトラール、ゲラニオール、リモネン、およびリモネンヒドロペルオキシドから選択される、請求項６記載の殺菌水溶配合剤。
【請求項８】
前記エッセンシャルオイルまたはその誘導体の濃度は、約０.１％から約１％である、請求項７記載の殺菌水溶配合剤。
【請求項９】
約５ｐｐｍから約１００ｐｐｍの濃度の追加の殺菌剤をさらに含む、上記請求項のいずれかに記載の殺菌水溶配合剤。
【請求項１０】
前記殺菌剤は、イマザリル、チアベンダゾール、パノクチン、ロブラル、プロクロラズ、ナトリウム・オルトフェニールフェノール、メタラキシル、ホセチル、キャプタン、オキシン硫酸塩、ジクロラン・ベンザルコニウム塩化物、カノン、チオファネートメチル、トリホリン、カルベンダゾール、トリアデミノール、ビンクロゾリン、エタコナゾール、またはその混合物を含む群から選択される、請求項９記載の殺菌水溶配合剤。
【請求項１１】
前記エッセンシャルオイル成分はシトラールであり、前記安定剤は酸化防止剤であり、前記殺菌剤はイマザリルである、請求項１０記載の殺菌水溶配合剤。
【請求項１２】
請求項１から請求項１１のいずれかに記載の水溶配合剤を有効量塗布するステップを含む、細菌の増殖を防止するための方法。
【請求項１３】
果実および野菜を収穫後の腐敗から保護するための請求項１２記載の方法。
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
高温での繰返し熱応力および酸化に対する耐性を必要とする用途で触媒コンバータのような排ガス浄化用の基材として用いるためのフェライトステンレス鋼であって、下記組成（wt％）：
Ｃ          ：０．０５％以下
Ｃｒ        ：１６．０〜２４．０％
Ｎｉ        ：２．５〜１５．０％
Ａｌ        ：４．５〜１２．０％
Ｍｏ＋Ｗ    ：４．０％以下
Ｍｎ        ：１．０％以下
Ｓｉ        ：２．０％以下
Ｚｒ＋Ｈｆ  ：０．１％以下
ＲＥＭ      ：０．１％以下
Ｎ          ：０．０５％以下
残部        ：Ｆｅおよび通常の製鋼上の不純物および添加物
であることを特徴とするフェライトステンレス鋼。
【請求項２】
請求項１において、Ｃｒ含有量が２０．０〜２２．０wt％であることを特徴とするフェライトステンレス鋼。
【請求項３】
請求項１または２において、Ｎｉ含有量が５．０〜１２．５wt％であることを特徴とするフェライトステンレス鋼。
【請求項４】
請求項１から３までのいずれか１項において、Ａｌ含有量が５．０〜８．０wt％であることを特徴とするフェライトステンレス鋼。
【請求項５】
請求項４において、Ａｌ含有量が５．０〜７．０wt％であることを特徴とするフェライトステンレス鋼。
【請求項６】
請求項１から５までのいずれか１項において、Ｍｏ＋Ｗの含有量が３．０wt％以下であることを特徴とするフェライトステンレス鋼。
【請求項７】
請求項１から６までのいずれか１項において、高温での繰返し熱応力および酸化に対する耐性が必要な用途における触媒コンバータのような排ガス浄化用の基材として使用されることを特徴とするフェライトステンレス鋼。
【請求項８】
請求項１から６までのいずれか１項において、熱処理炉のような加熱用途に使用されることを特徴とするフェライトステンレス鋼。
【請求項９】
請求項１から８までのいずれか１項に記載のフェライトステンレス鋼で作られた箔において、上記箔の厚さが１５０μｍ以下であることを特徴とするフェライトステンレス鋼箔。
【請求項１０】
請求項９において、上記箔の厚さが１１０μｍであることを特徴とするフェライトステンレス鋼箔。
【請求項１１】
請求項９または１０において、温度６００℃〜１０００℃での伸びが１４０％以下であることを特徴とするフェライトステンレス鋼箔。
【請求項１２】
請求項９または１０において、９００℃での伸びが１２０％以下であることを特徴とするフェライトステンレス鋼箔。
【請求項１３】
請求項９から１２までのいずれか１項において、高温での繰返し熱応力および酸化に対する耐性が必要な用途における触媒コンバータのような排ガス浄化用の基材として、および、熱処理炉のような加熱用途に使用されることを特徴とするフェライトステンレス鋼箔。
【請求項１４】
請求項９から１３までのいずれか１項に記載のフェライトステンレス鋼箔を製造する方法であって、基材に純アルミニウムおよび／またはアルミニウム基合金を被覆することによりアルミニウム含有量を４．５〜１２wt％にする、フェライトステンレス鋼箔の製造方法。
【請求項１５】
請求項１４において、該ステンレス鋼の基材の表面に浸漬法、クラッド法、ＰＶＤ法のような方法によって上記被覆を行なう、フェライトステンレス鋼箔の製造方法。
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
（ａ）エピタキシャルなフィルムをスパッタリングするためのターゲット、（ｂ）ポンピングゲッターをスパッタリングするためのターゲット、および（ｃ）エピタキシャルなフィルムターゲットとポンピングゲッターターゲットとの間に介在する極低温シュラウドを含んでなる、フィルム蒸着のための器具。
【請求項２】
スパッタ蒸着チャンバー内に配置された円柱状極低温ポンピングゲッターを含んでなる、スパッタ蒸着チャンバー内に真空を作り出すための器具。
【請求項３】
単一スパッタリングチャンバー内に、（ａ）エピタキシャルなフィルムをスパッタリングするためのターゲット、および（ｂ）ポンピングゲッターをスパッタリングするためのターゲットを含んでなる、フィルム蒸着のための器具。
【請求項４】
単一スパッタリングチャンバー内に、（ａ）混入物を生じるエピタキシャルなフィルムをスパッタリングするためのターゲット、および（ｂ）エピタキシャルなフィルムターゲット周囲に配置されて、チャンバー内の混入物濃度を低下させるシュラウドを含んでなる、フィルム蒸着のための器具。
【請求項５】
（ａ）エピタキシャルなフィルムをスパッタリングするためのターゲット、（ｂ）ポンピングゲッターをスパッタリングするためのターゲット、および（ｃ）エピタキシャルなフィルムターゲットとポンピングゲッターターゲットとの間に介在するポンピングゲッターを含んでなる、フィルム蒸着のための器具。
【請求項６】
単一スパッタリングチャンバー内で、（ａ）エピタキシャルなフィルム材料を基材上に、そして（ｂ）ポンピングゲッター材料をポンピングゲッター上にスパッタリングする工程を含んでなる、フィルムを蒸着する方法。
【請求項７】
ポンピングゲッター材料をスパッタ蒸着チャンバー内に配置された極低温ポンピングゲッター上にスパッタリングする工程を含んでなる、スパッタリングチャンバー内の混入を低下させる方法。
【請求項８】
ポンピングゲッター材料をポンピングゲッター材料を含有するターゲットとエピタキシャルなフィルムをスパッタリングするための材料を含有するターゲットの間に配置されたポンピングゲッター上にスパッタリングする工程を含んでなる、スパッタリングチャンバー内の混入を低下させる方法。
【請求項９】
フィルムを請求項１に記載の器具でスパッタリングする工程を含んでなる、エピタキシャルなフィルムを蒸着する方法。
【手続補正２】
【補正対象書類名】明細書
【補正対象項目名】００１９
【補正方法】変更
【補正の内容】
【００１９】
これらの方法では、エピタキシャルなフィルムおよびポンピングゲッターが同時にスパッタされ、蒸着が少なくとも１時間にわたり起きても良い。
本発明の好ましい態様を整理して記載すれば、下記のとおりである。
１．（ａ）エピタキシャルなフィルムをスパッタリングするためのターゲット、（ｂ）ポンピングゲッターをスパッタリングするためのターゲット、および（ｃ）エピタキシャルなフィルムターゲットとポンピングゲッターターゲットとの間に介在する極低温シュラウドを含んでなる、フィルム蒸着のための器具。
２．極低温シュラウドがポンピングゲッターを含んでなる、上記１に記載の器具。
３．ポンピングゲッターが極低温シュラウド上にスパッタ蒸着される、上記１に記載の器
具。
４．極低温シュラウドが金属性円柱状容器を含んでなる、上記１に記載の器具。
５．ポンピングゲッターターゲットが、極低温シュラウド周囲に配置された環、帯、コイルまたはカラーである、上記１に記載の器具。
６．ポンピングゲッターターゲットがチタンを含んでなる、上記１に記載の器具。
７．極低温シュラウドが液体窒素によって冷却される、上記１に記載の器具。
８．エピタキシャルなフィルムターゲット、およびポンピングゲッターターゲットが単一スパッタリングチャンバー内に位置する、上記１に記載の器具。
９．エピタキシャルなフィルムが１μｍを超える厚さを有する、上記１に記載の器具。
１０．スパッタ蒸着チャンバー内に配置された円柱状極低温ポンピングゲッターを含んでなる、スパッタ蒸着チャンバー内に真空を作り出すための器具。
１１．単一スパッタリングチャンバー内に、（ａ）エピタキシャルなフィルムをスパッタリングするためのターゲット、および（ｂ）ポンピングゲッターをスパッタリングするためのターゲットを含んでなる、フィルム蒸着のための器具。
１２．単一スパッタリングチャンバー内に、（ａ）混入物を生じるエピタキシャルなフィルムをスパッタリングするためのターゲット、および（ｂ）エピタキシャルなフィルムターゲット周囲に配置されて、チャンバー内の混入物濃度を低下させるシュラウドを含んでなる、フィルム蒸着のための器具。
１３．（ａ）エピタキシャルなフィルムをスパッタリングするためのターゲット、（ｂ）ポンピングゲッターをスパッタリングするためのターゲット、および（ｃ）エピタキシャルなフィルムターゲットとポンピングゲッターターゲットとの間に介在するポンピングゲッターを含んでなる、フィルム蒸着のための器具。
１４．ポンピングゲッターが円柱状である、上記１３に記載の器具。
１５．単一スパッタリングチャンバー内で、（ａ）エピタキシャルなフィルム材料を基材上に、そして（ｂ）ポンピングゲッター材料をポンピングゲッター上にスパッタリングする工程を含んでなる、フィルムを蒸着する方法。
１６．蒸着が少なくとも１時間にわたって起きる、上記１５に記載の方法。
１７．エピタキシャルなフィルムおよびポンピングゲッターが同時にスパッタリングされる、上記１５に記載の方法。
１８．ポンピングゲッター材料をスパッタ蒸着チャンバー内に配置された極低温ポンピングゲッター上にスパッタリングする工程を含んでなる、スパッタリングチャンバー内の混入を低下させる方法。
１９．ポンピングゲッター材料が、エピタキシャルなフィルム材料のスパッタリングと同時にスパッタリングされる、上記１８に記載の方法。
２０．ポンピングゲッター材料をポンピングゲッター材料を含有するターゲットとエピタキシャルなフィルムをスパッタリングするための材料を含有するターゲットの間に配置されたポンピングゲッター上にスパッタリングする工程を含んでなる、スパッタリングチャンバー内の混入を低下させる方法。
２１．ポンピングゲッター材料が、エピタキシャルなフィルム材料のスパッタリングと同時にスパッタリングされる、上記２０に記載の方法。
２２．フィルムを上記１に記載の器具でスパッタリングする工程を含んでなる、エピタキシャルなフィルムを蒸着する方法。
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
スパッタリングチャンバー内の第１および第２のマグネトロンターゲットを含んでなり、第２のターゲットが、それからターゲット材料がスパッタリングされても良い内外面を提供する開口部を有する、フィルム蒸着のための装置。
【請求項２】
スパッタリングチャンバー内の第１および第２のマグネトロンターゲットを含んでなり、第２のターゲットが環として成形される、フィルム蒸着のための装置。
【請求項３】
フィルムをスパッタリングチャンバー内の複数のマグネトロンターゲットからのスパッタリングによって蒸着する方法において、負電位をそれからターゲット材料がスパッタリングされても良い内外面を提供する開口部を有するマグネトロンターゲットに周期的に転移する工程。
【請求項４】
フィルムをスパッタリングチャンバー内の複数のマグネトロンターゲットからのスパッタリングによって蒸着する方法において、負電位を環として成形されるマグネトロンターゲットに周期的に転移する工程。
【請求項５】
フィルムを請求項１〜４のいずれか一項に記載の装置でスパッタリングする工程を含んでなる、フィルムを蒸着する方法。
【手続補正２】
【補正対象書類名】明細書
【補正対象項目名】００１６
【補正方法】変更
【補正の内容】
【００１６】
蒸着工程中、第１のターゲットおよび環状ターゲットは、周期的に陰極および陽極として作動する。環状ターゲットの存在は、第１のマグネトロンターゲットが正の電圧を有する場合に、スパッタリングされるエピタキシャルなフィルムの混入を低下させる一助となる。双方のマグネトロンターゲットからのスパッタリングは、基材上にフィルムを形成する。厚いフィルムの蒸着はより長時間のスパッタリングを必要とするので、環状マグネトロンターゲットは、ウォータージャケットなどの冷却装置を有しても良い。
本発明の好ましい態様を整理して記載すれば、下記のとおりである。
１．スパッタリングチャンバー内の第１および第２のマグネトロンターゲットを含んでなり、第２のターゲットが、それからターゲット材料がスパッタリングされても良い内外面を提供する開口部を有する、フィルム蒸着のための装置。
２．第２のターゲットが本質的に完全な円に成形される、上記１に記載の装置。
３．第２のターゲットが、第１のターゲットとその上にフィルムが蒸着される基材との間に配置される、上記１に記載の装置。
４．第２のターゲットが負電位を有する、上記１に記載の装置。
５．スパッタ蒸着が交流によって電力供給される、上記１に記載の装置。
６．第１および第２のターゲットが、同一または異なる材料から製造される、上記１に記載の装置。
７．第２のターゲットが冷却される、上記１に記載の装置。
８．フィルムが厚いフィルムである、上記１に記載の装置。
９．スパッタリングチャンバー内の第１および第２のマグネトロンターゲットを含んでなり、第２のターゲットが環として成形される、フィルム蒸着のための装置。
１０．フィルムをスパッタリングチャンバー内の複数のマグネトロンターゲットからのスパッタリングによって蒸着する方法において、負電位をそれからターゲット材料がスパッタリングされても良い内外面を提供する開口部を有するマグネトロンターゲットに周期的に転移する工程。
１１．フィルムをスパッタリングチャンバー内の複数のマグネトロンターゲットからのスパッタリングによって蒸着する方法において、負電位を環として成形されるマグネトロンターゲットに周期的に転移する工程。
１２．フィルムを上記１〜９のいずれか一項に記載の装置でスパッタリングする工程を含んでなる、フィルムを蒸着する方法。
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
第１及び第２の試験器及び該第１及び第２の試験器を互いに機械的に連結するための連結器を備える、少なくとも１つの試験中の装置（ＤＵＴ）を試験するための試験システムであって、前記第１及び第２の試験器の各々は、試験信号を出力するようになったパターン供給装置、複数の電気的コネクタを有するＤＵＴインタフェース、及び前記パターン供給装置からの試験信号を前記複数の電気的コネクタに結合するようになった複数のピン電子（ＰＥ）チャンネルを有し、前記第１及び第２の試験器のＤＵＴインタフェースが、前記少なくとも１つのＤＵＴに連結した単一のＤＵＴボードに連結するようになった、前記試験システム。
【請求項２】
前記第１の試験器の側面の少なくとも一部分には、前記第１の試験器を前記第２の試験器と並列に機械的に連結するのを妨げると考えられる必須のコネクタがない、請求項１に記載の試験システム。
【請求項３】
前記第１の試験器の背面の少なくとも一部分には、前記第１の試験器を前記第２の試験器と背中合わせに機械的に連結するのを妨げると考えられる必須のコネクタがない、請求項１に記載の試験システム。
【請求項４】
さらに、第３の試験器を備え、前記第１の試験器の背面及び側面の少なくとも一部分には、前記第１の試験器を、前記第２の試験器と並列にかつ前記第３の試験器と背中合わせに機械的に連結するのを妨げると考えられる必須のコネクタがない、請求項１に記載の試験システム。
【請求項５】
前記第１及び第２の試験器の各々は、前記ＤＵＴボードを前記試験器の上面の上に配置するためのドッキング機構を含む、請求項１に記載の試験システム。
【請求項６】
前記第１及び第２の試験器の各々のＤＵＴインタフェースは、ＤＵＴボードを通じて少なくとも１つのＤＵＴと接続し、前記ＤＵＴインタフェースの各々は、その上に配置された前記ＤＵＴインタフェースボードと係合するように延長可能である、請求項５に記載の試験システム。
【請求項７】
前記ＤＵＴインタフェースは、前記第１及び第２の試験器の上に配置された前記ＤＵＴインタフェースボードと同時に係合するために同期される、請求項６に記載の試験システム。
【請求項８】
前記第１及び第２の試験器の各々は、前記ＤＵＴボードが前記第１及び第２の試験器の各々の上面の上に適正に配置されていない場合、前記ＤＵＴインタフェースが延長して前記ＤＵＴボードと係合しないようになった延長機構を含む、請求項６に記載の試験システム。
【請求項９】
前記ドッキング機構は、さらに、前記ＤＵＴインタフェースに係合するために前記試験器の上面に向けて前記ＤＵＴボードを引っ張るようになった、請求項５に記載の試験システム。
【請求項１０】
前記第１及び第２の試験器は、単一のホストコンピュータと連結する、請求項１に記載の試験システム。
【請求項１１】
前記ドッキング機構は、前記ＤＵＴインタフェースボードが前記試験器の上面の上に適正に配置されていない場合、前記ＤＵＴボードが前記試験器の上面に向けて引っ張られて前記ＤＵＴインタフェースと係合するのを防ぐようになっている、請求項９に記載の試験システム。
【請求項１２】
前記第１の試験器は、上面に第１の通気孔と前面に第２の通気孔とを有する筐体を含み、
それによって前記第１の試験器の内部構成要素を、前記第２の試験器が前記筐体の側面又は背面のいずれかに機械的に連結されている場合、前記第２の試験器からの干渉を受けることなく、前記第１及び第２の通気孔を通る空気の動きによって冷却することができる、請求項１に記載の試験システム。
【請求項１３】
前記第１の試験器は、複数のドーターボードが従属するバックプレーンを前記筐体内に含み、該バックプレーンは、前記ドーターボード上の構成要素の上に空気を誘導するための複数の開口部を含む、請求項１２に記載の試験システム。
【請求項１４】
前記第１の試験器は、前記筐体内のエッジコネクタに連結された複数のドーターボードを含み、空気は、前記エッジコネクタ間及び前記ドーターボードのいずれかの側面上に誘導されてその上の構成要素を冷却する、請求項１２に記載の試験システム。
【請求項１５】
前記連結器は、前記第１および第２の試験器を互いに固定するようになっている、請求項１に記載の試験システム。
【請求項１６】
前記連結器は、前記第１および第２の試験器を共通の保持フレームに固定するようになっている、請求項１に記載の試験システム。
【請求項１７】
前記第１および第２の試験器の各々は、試験器の電子機器に電力供給するための少なくとも１つの直流電源を含む、請求項１に記載の試験システム。
【請求項１８】
前記第１および第２の試験器の各々は、前記ＰＥチャンネルに連結されたタイミング及びフォーマット設定回路を含む、請求項１に記載の試験システム。
【請求項１９】
前記第１の試験器は、筐体及び前記第２の試験器と電気的に結合するための該筐体の開口部を通ってアクセス可能な少なくとも１つの電気的結合器を含むことを特徴とする請求項１に記載の試験システム。
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
ディーゼル機関（１）に関連した装置であって、
少なくとも１つの流路設備（３）、圧縮機（４）、及び吸気用熱交換機（１２）を含む、周囲環境から前記機関に吸気を供給するためのディーゼル機関用給気装置（２）と、
前記ディーゼル機関から廃熱を回収するための冷却回路（５）であって、該冷却回路には少なくとも１基の熱交換機が接続され、該少なくとも１基の熱交換機（６）は冷却回路（５）から受け取った廃熱により水を蒸発させるように構成されている冷却回路（５）と
を有する、ディーゼル機関（１）に関連した装置において、
蒸発させるための水を熱交換機（６）へ供給するために給水管（２０）が前記熱交換機（６）に接続されており、また前記熱交換機（６）は、前記給水管（２０）を介して供給される水により生成される蒸気を前記流路設備（３）内へ導入するために、蒸気供給路（１０）を介して前記給気装置（２）の前記流路設備（３）に接続されることを特徴とする、ディーゼル機関に関連した装置。
【請求項２】
ディーゼル機関からの廃熱を回収する前記冷却回路が、エンジンブロック及び／又はシリンダヘッドの冷却回路である請求項１に記載のディーゼル機関に関連した装置。
【請求項３】
前記蒸気供給路（１０）は、前記圧縮機（４）の手前で空気の流れ方向に、前記流路設備（３）に対して結合している請求項１に記載のディーゼル機関に関連した装置。
【請求項４】
前記蒸気供給路（１０）は、前記流路設備内の圧力の影響を前記熱交換機（６）に伝達するように構成されている請求項１から請求項３までのいずれか１項に記載のディーゼル機関に関連した装置。
【請求項５】
前記熱交換機（６）が前記機関の前記冷却回路（５）に接続され、また該流路が２つの別個の流路（７，８）を形成するように分岐し、それらのうちの第１流路（７）が前記熱交換機（６）のわきを通され、第２流路（８）が前記熱交換機を経由して通されている請求項１から請求項４までのいずれか１項に記載のディーゼル機関に関連した装置。
【請求項６】
前記冷却回路は、前記給気装置（２）内に配置された吸気用熱交換機（１２）に、冷却液の流れ方向における前記熱交換機（６）の後方で接続されている請求項５に記載のディーゼル機関に関連した装置。
【請求項７】
ディーゼル機関（１）に関連した方法であって、該ディーゼル機関が、
少なくとも１つの流路設備（３）、圧縮機（４）、及び吸気用熱交換機（１２）を有するディーゼル機関用給気装置（２）と、
ディーゼル機関からの廃熱を回収するための冷却回路（５）であって、該冷却回路には、少なくとも１基の熱交換機が接続されている冷却回路と
を有し、前記機関の作動中に、
前記圧縮機によって加圧された吸気が、前記機関の前記給気装置（２）によって前記機関へ導かれ、
前記冷却回路内を流れる冷却液が、該冷却回路（５）に接続された熱交換機（６）により冷却される、ディーゼル機関（１）に関連した方法において、
水を前記熱交換機（６）に導入して該熱交換機（６）により蒸発させて蒸気を発生させること、及びこうして発生させた蒸気を前記ディーゼル機関の前記給気装置（２）内へ導入することを特徴とする、ディーゼル機関に関連した方法。
【請求項８】
前記熱交換機（６）内での水の蒸発が、約１バール以下の圧力で行われるように構成されている請求項７に記載のディーゼル機関に関連した方法。
【請求項９】
前記冷却回路内を流れる冷却液の所定量を、前記熱交換機内で熱を伝えることのなく前記熱交換機（６）のわきを通るように導くことによって、前記熱交換機（６）内での水の蒸発が制御される請求項７から請求項８までのいずれか１項に記載のディーゼル機関に関連した方法。
【請求項１０】
発生せしめられた蒸気の所定量が、前記ディーゼル機関の前記給気装置（２）内の、圧縮機の手前の箇所に導入される請求項７から請求項９までのいずれか１項に記載のディーゼル機関に関連した方法。
【手続補正書】
【提出日】平成17年9月30日(2005.9.30)
【手続補正１】
【補正対象書類名】明細書
【補正対象項目名】００５２
【補正方法】変更
【補正の内容】
【００５２】
（図面の簡単な説明）
以下の図面を参照することによって本発明は理解されうる。図面の構成要素は互いに縮尺が必ずしも一致しておらず、代わりに本発明の原理を明示するために強調が用いられている。さらに、参照番号は異なる図面を通して対応する部分を示す。
【図１】図１は全地球的測位システム（GPS; Global Positioning System）を説明するブロック図である。
【図２】図２は従来のＧＰＳ受信機ユニットを説明するブロック図である。
【図３】図３は温度補償機能付き発振器を利用してＧＰＳ時刻を捕捉する本発明のＧＰＳ受信機ユニットの代表的な実施例を説明するブロック図である。
【図４】図４は図３に図示されるようなＧＰＳ受信機ユニットによって実行される代表的な起動処理である。
【図５】図５は図３に図示されるようなＧＰＳ受信機ユニットによって、捕捉モードで動作中に実行される代表的な処理である。
【手続補正書】
【提出日】平成17年9月29日(2005.9.29)
【手続補正１】
【補正対象書類名】明細書
【補正対象項目名】００５６
【補正方法】変更
【補正の内容】
【００５６】
これらのクラスは、攻撃優先性の順に以下の通りである。
１-Ｃ６未満
２-Ｎ-パラフィンＣ６以上Ｃ15以下
３-イソパラフィンＣ６以上Ｃ15以下
４-イソプレノイドＣ６以上Ｃ15以下
５-ナフテンＣ６以上Ｃ15以下
６-芳香族化合物Ｃ６以上Ｃ15以下
７-飽和化合物Ｃ15超
８-芳香族化合物Ｃ15超
各化合物クラスに絶対および相対優先係数が指定される。
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
耐火性ポリマージャケット（１６）；
多数の光ファイバー（１２）；及び
多数のリボン状に広がっていない無機ファイバー（１４）を含む構内ケーブル（１０）であって、前記多数の無機ファイバーは、前記耐火性ポリマージャケット内で前記多数の光ファイバーを保護及び保持するために使用されるとともに、発煙又は発火を最小限に抑え、又は防止する前記ケーブル。
【請求項２】
前記多数の無機ファイバーをそれぞれ第1量の集束剤組成物で包み、前記集束剤組成物は少なくとも1つの膜形成剤と少なくとも1つの潤滑材料を含む、請求項１に記載の構内ケーブル。
【請求項３】
前記集束剤組成物の前記第1量が前記多数の無機ファイバーのリボン状に広がることを防止するのに十分であり、前記多数の無機ファイバーのストランド重量の0.1〜2.0％を含む、請求項２に記載の構内ケーブル。
【請求項４】
前記少なくとも1つの膜形成剤と前記少なくとも1つの潤滑材料との比が前記多数の無機ファイバーに堆積させたストランド固体の1:1〜1:6の範囲である、請求項２に記載の構内ケーブル。
【請求項５】
前記耐火性ポリマージャケットがポリ塩化ビニルジャケット及び非ハロゲン化難燃剤を有するポリエチレンジャケットからなる群から選択される、請求項１に記載の構内ケーブル。
【請求項６】
前記多数の無機ファイバーが多数のE-ガラスファイバーを含む、請求項１に記載の構内ケーブル。
【請求項７】
前記多数の無機ファイバーが多数のE-ガラスファイバー、多数のE-CRガラスファイバー、多数の実質的にホウ素を含まないガラスファイバー、及び多数のS-ガラスファイバーからなる群から選択される、請求項１に記載の構内ケーブル。
【請求項８】
前記少なくとも1つの膜形成剤がエポキシ樹脂を含む、請求項２に記載の構内ケーブル。
【請求項９】
前記少なくとも1つの膜形成剤がさらにポリビニルピロリドン樹脂を含む、請求項８に記載の構内ケーブル。
【請求項１０】
前記少なくとも1つの潤滑材料が非イオン性石油潤滑剤、モノオレエートポリエチレングリコール、モノイソステアレートポリエチレングリコール、及びその組み合わせからなる群から選択される、請求項２に記載の構内ケーブル。
【請求項１１】
前記集束剤組成物が、また少なくとも1つの添加材料を有する、請求項２に記載の構内ケーブル。
【請求項１２】
前記少なくとも1つの添加材料がメタクリルオキシシラン材料及びシラン材料からなる群から選択される、請求項１１に記載の構内ケーブル。
【請求項１３】
以下の工程を含む構内ケーブル（１０）を製造する方法：
集束剤組成物を用意する工程、ここで前記集束剤組成物は少なくとも1つの膜形成剤及び少なくとも1つの潤滑材料を含む；
第1アプリケーターを用いて第1量の前記集束剤組成物を多数の無機ファイバーに適用する工程、ここで前記集束剤組成物は前記多数の無機ファイバーのリボン状に広がることを防止するために使用される；
前記多数の無機ファイバーの第1量を第1取り付け装置で巻き付ける工程；
多数の無機ファイバーの前記第1量の周りにs-zストランディングパターンで多数の光ファイバー（１２）を導入する工程；
前記多数の光ファイバーの周りに前記多数の無機ファイバーの第2量を巻き付ける工程；及び
前記第1量及び第2量の前記無機ファイバーの周りに、及び前記多数の光ファイバーの周りにポリマージャケットを適用して、前記多数の光ファイバーを前記第1量の前記無機ファイバーと前記第2量の前記無機ファイバーとの間で保護及び保持する工程。
【請求項１４】
第1アプリケーターを用いて前記集束剤組成物の第1量を多数の無機ファイバーに適用する工程が、ローラーアプリケーターを用いて前記集束剤組成物の第1量を多数の無機ファイバーに適用する工程を含む、請求項１３に記載の方法。
【請求項１５】
第1アプリケーターを用いて前記集束剤組成物の第1量を多数の無機ファイバーに適用する工程が、連続式ポンプヘッドアプリケーターを用いて前記集束剤組成物の第1量を多数の無機ファイバーに適用する工程を含む、請求項１３に記載の方法。
【請求項１６】
前記多数の無機ファイバーの第1量を第1取り付け装置で巻き付ける工程が、前記多数の無機ファイバーの第1量をサーバーで巻き付ける工程を含む、請求項１３に記載の方法。
【請求項１７】
前記多数の無機ファイバーの第1量を第1取り付け装置で巻き付ける工程が、前記多数の無機ファイバーの第1量をリニアフィーダーで巻き付ける工程を含む、請求項１３に記載の方法。
【請求項１８】
構内ケーブル（１０）内で多数の光ファイバー（１２）を保護及び保持するために使用される多数の無機ファイバー（１４）のリボン状に広がることを低減し、それによって多数の無機ファイバーによって生じる多数の光ファイバーの減衰量を最小限にする方法であって、以下の工程を含む前記方法：
多数の無機ファイバーを第1量の集束剤組成物で被覆し、前記集束剤組成物は少なくとも１つの膜形成剤及び少なくとも1つの潤滑材料を含み、前記少なくとも１つの膜形成剤と前記少なくとも1つの潤滑材料の比は前記多数の無機ファイバーに堆積したストランド固体の1:1〜1:6の範囲である工程。
【請求項１９】
構内ケーブル内で前記ファイバーの導入の際に、前記無機ファイバーの毛羽立ちを防止するのにまだ十分である期間、前記集束剤組成物の前記第1量を最小限に抑えて前記集束剤組成物の燃焼に起因する発煙又は発火量を低減する、請求項１８に記載の方法。
【請求項２０】
前記集束剤組成物の前記第1量が前記多数の無機ファイバーのストランド重量の0.1〜2.0パーセントを含む、請求項１９に記載の方法。
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
サーバと、
前記サーバからダイナミックコンテンツを受信して表示する表示コントローラと、
前記表示コントローラと通信し、前記ダイナミックコンテンツからの情報を視覚的に表示する少なくとも１つの受動的なコンテンツ表示ユニットと、
複数のコンテンツ表示ユニットと通信する複数の表示コントローラを備え、前記複数の表示コントローラのそれぞれの表示コントローラは、タイプ識別子を有し、前記それぞれの表示コントローラは、前記タイプ識別子に応じて、そのコンテンツ表示ユニットに表示するダイナミックコンテンツを選択する広告掲示板装置。
【請求項２】
前記受動的なコンテンツ表示ユニットは、ＧＹＲＩＣＯＮを備える請求項１に記載の広告掲示板装置。
【請求項３】
前記受動的なコンテンツ表示ユニットは、Ｅ−ＩＮＫを備える請求項１に記載の広告掲示板装置。
【請求項４】
前記表示コントローラは、タイミング手段を備え、前記表示コントローラは、前記少なくとも１つの受動的なコンテンツ表示ユニットの視覚的な表示を前記タイミング手段からの時間に応じて変更する請求項１に記載の広告掲示板装置。
【請求項５】
前記表示コントローラは、複数のサーバからのダイナミックコンテンツを受信し、記憶し、かつ表示するようになっており、前記表示コントローラは、階層的制御方式を有し、この階層的制御方式は、前記複数のサーバのうちの１つのサーバから、前記コンテンツ表示ユニットに表示するダイナミックコンテンツを選択する請求項１に記載の広告掲示板装置。
【請求項６】
複数のサーバと、
それぞれが、前記複数のサーバの少なくとも１つからのダイナミックコンテンツを受信して表示する複数の表示コントローラと、
前記複数の表示コントローラのそれぞれと通信し、前記ダイナミックコンテンツからの情報を視覚的に表示する少なくとも１つのコンテンツ表示ユニットと
を備える広告掲示板システムであって、
この広告掲示板システムは、タイミング手段を備え、前記複数の表示コントローラの少なくとも１つは、前記少なくとも１つのコンテンツ表示ユニットの視覚的表示を前記タイミング手段からの時間に応じて変更し、
前記複数の表示コントローラの少なくとも１つは、前記複数のサーバの少なくとも２つからのダイナミックコンテンツを受信し、記憶し、かつ表示するようになっており、前記複数の表示コントローラの前記少なくとも１つは、階層的制御方式を有し、この階層的制御方式は、前記複数のサーバの前記少なくとも２つのうちの一方のサーバから、前記複数のコンテンツ表示ユニットの前記少なくとも１つに表示するダイナミックコンテンツを選択する広告掲示板システム。
【請求項７】
前記少なくとも１つのコンテンツ表示ユニットは受動的である請求項６に記載の広告掲示板システム。
【請求項８】
前記少なくとも１つのコンテンツ表示ユニットは、ＧＹＲＩＣＯＮを備える請求項７に記載の広告掲示板システム。
【請求項９】
前記少なくとも１つのコンテンツ表示ユニットは、Ｅ−ＩＮＫを備える請求項７に記載の広告掲示板システム。
【請求項１０】
ダイナミックコンテンツを受信して表示する表示コントローラと、
前記表示コントローラと通信し、前記ダイナミックコンテンツからの情報を視覚的に表示するコンテンツ表示ユニットと、
前記コンテンツ表示ユニットを見るようになっており、前記コンテンツ表示ユニットの画像を提供するカメラと
を備える広告掲示板装置。
【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】
複数の光ファイバー、
基体の第１面から貫通状に延びている複数の第１ファイバー通路を備えた第１シリコン基体、
貫通状に延びている複数の第２ファイバー通路を備えた第２シリコン基体、ここで、光ファイバーのそれぞれが、第１基体および第２基体の通路それぞれに配置されている、及び
ファイバー及び基体を互いに一定の関係で固定する結合剤、
を備えてなり、
ファイバーが、基体の第１面に対して垂直でない特定の角度で方向付けられているファイバーアレイ。
【請求項２】
第１基体の通路のそれぞれが、円筒形の側壁を含んでなる請求項１記載のファイバーアレイ。
【請求項３】
角度範囲が、１２度までにわたる請求項１又は２記載のファイバーアレイ。
【請求項４】
角度範囲が、４度から８度までにわたる請求項１又は２記載のファイバーアレイ。
【請求項５】
貫通状に延びている複数の第３ファイバー通路を備えた第３シリコン基体をさらに含み、光ファイバーのそれぞれが、第３基体の通路それぞれに配置されている、請求項１から４のいずれか１項記載のファイバーアレイ。
【請求項６】
第１基体および第２基体が、面接触している請求項１から５のいずれか１項記載のファイバーアレイ。
【請求項７】
第１基体の通路が、この通路の長さの部分に沿って増大する断面寸法を有している請求項１から６のいずれか１項記載のファイバーアレイ。
【請求項８】
第１基体の中に配置されたファイバーの部分が、緩衝材を有さず、ジャケット付きでないファイバー部分を含んでなる請求項１から７のいずれか１項記載のファイバーアレイ。
【請求項９】
ファイバーを特定角度で位置決めするために、第１基体を第２基体に対して整合させる整合用構成を有しているハウジングを備えている請求項１から８のいずれか１項記載のファイバーアレイ。
【請求項１０】
複数の第１及び第２通路によって、これらの中に配置されたファイバーをこれらの通路の内部においてある角度範囲で位置決めすることのできる充分な隙間が備わるように、第１基体および第２基体が、互いに対して位置決め可能なものである請求項１から９のいずれか１項記載のファイバーアレイ。
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
変速機用流体に晒すことができる軸受アセンブリの製造方法において、
ベース部と、前記ベース部から直立する、内周面と外周面とを持つ環状壁と、前記ベース部から延設するフランジとを備えた軸受ハウジングを設けるステップと、
軸の１つの端部にボールを設けるステップと、
前記環状壁によって囲まれた前記軸受ハウジングの前記ベース部に、内周面を持つ半球形のカップ状部を形成するステップと、
前記カップ状部の内周面と前記壁の内周面とに成形ライナを接着し、非吸湿性である材料から前記ライナを形成することによって変速機用流体を吸収しないようにするステップと、
前記カップ状部の中に前記ボールを着座させるステップと、
前記ボール上へ前記環状壁を据え込むステップと、を有することを特徴とする方法。
【請求項２】
請求項１に記載の方法において、約１０％またはそれ以上の延性を持つ材料から前記軸受ハウジングを鋳造することを特徴とする方法。
【請求項３】
請求項２に記載の方法において、スチール、アルミニウム合金、マグネシウム合金あるいは亜鉛合金から成るグループの１つから前記材料を選択することを特徴とする方法。
【請求項４】
上記請求項のいずれか一項に記載の方法において、接着剤によって前記カップ状部の内周面と前記壁の内周面とに前記ライナを接着することを特徴とする方法。
【請求項５】
上記請求項のいずれか一項に記載の方法において、前記軸が円筒形状であり、前記ボールが前記軸の直径よりも大きな直径を持ち、中を通して前記軸を受け入れられる大きさの孔を持つ金型によって前記環状壁が前記ボール上へ据え込まれ、前記孔は前記金型の下部面へ向かって外方向へ傾斜がつけられて、前記ボール上へ前記環状壁を据え込むように成形された半球形スカートを画定することを特徴とする方法。
【請求項６】
請求項５に記載の方法において、前記環状壁の据え込まれたリムの外径の方が前記軸の直径よりも大きいことを特徴とする方法。
【請求項７】
変速装置の軸受アセンブリにおいて、
ベース部と、前記ベース部から直立する、内周面と外周面とを持つ環状壁と、前記ベース部から延設するフランジと、前記環状壁によって囲まれた前記軸受ハウジングの前記ベース部内の、内周面を持つ半球形のカップ状部と、前記カップ状部の内周面と前記壁の内周面とに接着した成形ライナであって、非吸湿性である材料から形成することによって変速機用流体を吸収しないようにした前記ライナとを備えた軸受ハウジングと、
前記変速装置の第１のエレメントの軸と、前記軸の１つの端部に配置したボールと、を有し、
前記カップ状部の中に前記ボールを着座させ、前記ボール上へ前記環状壁を据え込むことを特徴とする軸受アセンブリ。
【請求項８】
請求項７に記載の軸受アセンブリにおいて、前記ライナが自己潤滑式ライナであることを特徴とする軸受アセンブリ。
【請求項９】
請求項７乃至８のいずれか一項に記載の軸受アセンブリにおいて、鋳造された部品であることを特徴とする軸受アセンブリ。
【請求項１０】
請求項７乃至９のいずれか一項に記載の軸受アセンブリにおいて、前記軸と前記ボールとを互いに一体として形成することを特徴とする軸受アセンブリ。
【請求項１１】
請求項７乃至１０のいずれか１項に記載の軸受アセンブリにおいて、前記軸受ハウジングが前記変速装置の第２のエレメントと接続されることを特徴とする軸受アセンブリ。
【請求項１２】
添付図面を参照して、並びに、添付図面に図示のように本明細書に実質的に記載される軸受アセンブリ。
【請求項１３】
添付図面を参照して、並びに、添付図面に図示のように本明細書に実質的に記載される軸受アセンブリを製造する方法。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
１本以上のコアスチールフィラメントからなるコアと、前記コアの周囲に撚られた中間スチールフィラメントからなる第１層と、前記第１層の周囲に撚られた第２スチールフィラメントからなる第２層とを備えるスチールコードであって、前記中間スチールフィラメントの全てがポリマーによって個別に予め被覆されており、前記ポリマーは０．０１０ｍｍの最小厚みを有しているスチールコード。
【請求項２】
前記ポリマーが前記中間スチールフィラメントの全ての周囲に予め押出成形によって形成されている請求項１に記載のスチールコード。
【請求項３】
前記ポリマーがポリエチレンテレフタレート、ポリブチレンテレフタレートおよびポリエチレンナフタレートからなる群から選択される請求項１に記載のスチールコード。
【請求項４】
前記コアが１本のコアスチールフィラメントのみからなる請求項１に記載のスチールコード。
【請求項５】
前記中間スチールフィラメントの数が３から１０の範囲内である請求項１に記載のスチールコード。
【請求項６】
前記コアスチールフィラメント、前記中間スチールフィラメントおよび前記第２スチールフィラメントが全て同一の撚りピッチで同一の方向に撚られている請求項１に記載のスチールコード。
【請求項７】
前記被覆された中間スチールフィラメントといずれの隣接するスチールフィラメントとの間において、スチールとスチールとの接触が生じない請求項１に記載のスチールコード。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
ミクロ繊維を含む多層フィルムであって、前記フィルムが、１つの方向に、直角な方向への伸長よりも、比較的より多く伸長することによって１軸配向されており、
前記フィルムが、対向する２つの表面を含み、それぞれの表面がミクロ繊維を含み、
１つの表面が親水性であり、他の表面が疎水性である、多層フィルム。
【請求項２】
非ミクロ繊維層をさらに含み、
前記非ミクロ繊維層が、疎水性材料、親水性材料、エラストマー性材料、引き裂き抵抗性材料、破壊抵抗性材料、高温または低温抵抗性材料、高強度、高モジュラス、接着性、および難燃性材料からなる群より選択される材料を含む、請求項１に記載のフィルム。
【請求項３】
前記ミクロ繊維層がポリプロピレンを含む、請求項２に記載のフィルム。
【請求項４】
前記非ミクロ繊維層がエラストマー性ポリマーを含む、請求項２に記載のフィルム。
【請求項５】
前記フィルムが、ポリプロピレン、ポリエチレン、スチレン−エチレン／ブチレン−スチレン・ブロックコポリマー、スチレン−イソプレン−スチレン・ブロックコポリマー、ポリウレタン、フルオロポリマー、ポリ（ブチレン）、ポリ（イソプレン）、ナイロン、および接着剤からなる群より選択される材料を含む非ミクロ繊維層を含む、請求項１に記載のフィルム。
【請求項６】
前記フィルムが、非ミクロ繊維層を挟み込んだ２層のミクロ繊維層を含む、請求項１に記載のフィルム。
【請求項７】
ミクロ繊維層が、高密度および低密度ポリエチレン、ポリプロピレン、ポリオキシメチレン、ポリ（フッ化ビニリデン）、ポリ（メチルペンテン）、ポリ（エチレン−クロロトリフルオロエチレン）、ポリ（フッ化ビニル）、ポリ（エチレンオキシド）、ポリ（エチレンテレフタレート）、ポリエチレンナフタレート、ポリ（ブチレンテレフタレート）、ポリ（乳酸）、ナイロン６１２、ナイロン６、ナイロン６６、ポリブテン、サーモトロピック液晶ポリマー、これらのポリマーの１種または複数のブレンド物、または上記のモノマーの１種または複数のコポリマー、からなる群より選択される半晶質ポリマーである、請求項６に記載のフィルム。
【請求項８】
前記フィルムが約２層から約５層までの層を含む、請求項１に記載のフィルム。
【請求項９】
多層フィルムを同時押出しする工程、
前記フィルムを配向させる工程、
および、前記層をミクロフィブリル化して、前記層からミクロ繊維を形成させる工程、
を含む請求項１〜８のいずれか１項記載のフィルムの製造方法。
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
コンピュータにおいて買収統合事業計画を作成する方法であって、
少なくとも１つのユーザ選択の統合領域に基づいて、各々が買収プロセスにおける段階と関連して表示される複数の所定の統合イベントを表示し、
各々のユーザ選択の統合領域について、少なくとも１つのユーザ選択の所定の統合イベントを受け取り、
各々のユーザ選択の統合領域について、前記ユーザ選択の所定の統合イベントを表示し、
各々のユーザ選択の所定の統合イベントの担当者名、期限、達成度、及びコメントのうちの少なくとも１つを表示し、
前記ユーザ選択の所定の統合イベントと、各々のユーザ選択の所定の統合イベントの前記担当者名、前記期限、前記達成度、及び前記コメントのうちの少なくとも１つとを、対応する統合領域内に買収統合の事業計画として格納する、
段階を含むことを特徴とする方法。
【請求項２】
少なくとも１つのユーザ選択の統合領域に基づいて、各々が買収プロセスにおける段階と関連した複数の所定の統合イベントを表示し、
各々のユーザ選択の統合領域について、少なくとも１つのユーザ選択の所定の統合イベントを表示し、
各々のユーザ選択の所定の統合イベントの担当者名、期日、達成度、及びコメントのうちの少なくとも１つを表示し、
前記ユーザ選択の所定の統合イベント及び対応する統合領域を買収統合事業計画として格納する、
ようにプログラムされることを特徴とするコンピュータ。
【請求項３】
少なくとも１つの統合領域に対応するデータと、
各々の統合領域の統合イベントに対応するデータと、
を備えることを特徴とする買収統合のためのデータベース。
【請求項４】
買収統合のためのシステムであって、
少なくとも１つの統合領域の統合イベントに対応するデータを含むデータベースと、
統合領域を選択するようにユーザを促し、前記統合領域内の統合イベントの状態に関する情報を提供するように構成されるサーバと、
を備えることを特徴とするシステム。
【請求項５】
買収統合計画の方法であって、
電子インターフェースにより、複数の統合領域のうちの少なくとも１つを選択し、
前記電子インターフェースにより、各々の統合領域の担当者を識別し、
前記電子インターフェースにより、統合領域内の統合イベントの各々の担当者及び期日のうちの少なくとも１つを識別し、
前記電子インターフェースにより、各々の統合イベントの達成度を要求する、
段階を含むことを特徴とする方法。
【請求項６】
ユーザに少なくとも１つの統合領域を選択するように促すための手段と、
前記選択される統合領域の複数の統合イベントを表示するための手段と、
選択される統合イベントを用いて統合買収事業計画を作成するための手段と、
を備えることを特徴とする装置。
【請求項７】
買収統合を管理し、買収の相乗効果、顧客の満足、及び卓越した業務を達成するように、コンピュータ可読媒体上で具体化されるコンピュータ・プログラムであって、
買収統合のために統合領域を管理し、
各々の統合領域の統合イベントを組織化し、
ユーザ選択の統合領域に基づいて、１組の統合イベント及び成果物チェックリストを含む買収統合計画を作成し、統合プロセスを通じてユーザを案内する、
コード・セグメントを備えることを特徴とするコンピュータ・プログラム。
【請求項８】
コンピュータを作動させる方法であって、
買収統合メイン・ユーザ・インターフェースにより、統合領域を選択するようにユーザを促し、
前記選択された統合領域の１組の選択可能な統合イベントを表示し、
選択された統合イベントを組み入れる買収統合事業計画を作成する、
段階を含むことを特徴とする方法。
【請求項９】
買収統合メイン・ユーザ・インターフェースとして構成されたコンピュータ生成画面から統合領域を選択するようにユーザに促し、
前記選択された統合領域の１組の選択可能な統合イベントを表示し、
ユーザ選択の統合イベントを組み入れる買収統合事業計画を作成する、
ようにプログラムされることを特徴とするコンピュータ。
【請求項１０】
所定の統合領域のユーザ選択を受け取り、
前記選択された統合領域の所定の統合イベントのユーザ選択を受け取り、
計画された買収について、前記ユーザ選択の所定の統合領域及び統合イベントを用いて買収統合計画を作成する、
ようにコンピュータを制御するための、コンピュータにより実行可能なコンピュータ可読媒体。